(57)【特許請求の範囲】
【請求項１】
双眼鏡の左右一対の両対物レンズの前面にアダプターの後方より延長した取り付けステーを、双眼鏡の底面の三脚用のネジ孔にネジ止めすることにより取り付けられるアダプターにして、このアダプターは双眼鏡の両対物レンズを結ぶ面となす角度を９０°として取り付けステーに固定される第１平面鏡と、開放時に６０°の角度をなすように上記第１平面鏡に対して開閉自在に取り付けられると共に両対物レンズの前面に位置してこれらを一枚でカバーする第２平面鏡を有し、第１平面鏡に入射する光線の光路を第２平面鏡を介して両対物レンズに入射するように転向すべく設定されることを特徴とする双眼鏡用天体観測アダプター。
【発明の詳細な説明】
【０００１】
【産業上の利用分野】
この発明は双眼鏡に使用するためのアダプターに関し、より詳細には通常の双眼鏡を天体観測等の対空用に使用可能とするためのアダプターに関する。
【０００２】
【従来の技術】
天体の観測において、双眼鏡を用いることは非常に有効である。
即ち、双眼視は単眼視に比べ著しく観測者の集中力が増し疲労が少なく、又、無限遠方物体の観測における疑似立体視効果による迫力の増大は、口径で２倍の単眼視に匹敵すると言われている。
事実、近年、国内のアマチュアが発見する彗星のほとんどが、双眼鏡による長時間の掃天によるものであり、又、誰でも経験したことがあるが、眼帯を掛けた片目の生活の不自由さを思えば、双眼視の効果・快適さは今更述べるまでもなく、もともと両眼で物体を認知するのが自然な状態と言える。
【０００３】
しかしながら、現在、市販されている天体観測用の対空双眼鏡は、その特殊性から生産量が少く、量産効果が期待できず、多数のプリズムを使用することにより構造が複雑で、価格が高くなり種類も機能も少なく、小型軽量でズーム機能の付いたもの等は皆無の状態であり、誰もが気軽に使用できるとは言い難かった。
【０００４】
ところで、目を天体望遠鏡以外に向けた場合、一般に市販されている普通の双眼鏡は、小型、軽量であり、しかも明るくて広視界であり、更に大量生産されているために、安価で品質も安定している。
又、ズーム式のものは、倍率を容易に変換できる利点を有する。
【０００５】
このことは、天体の観測においても大きな利点となる。
即ち、長く尾を引いた彗星、多くの星の明るさを比較する必要のある変光星、大きく拡がった星団、銀河、動く流星、人工衛星等の観測においては、低倍率・広視界の双眼鏡を使用することが最適である。
又、単眼の天体望遠鏡に較べて覗きやすく、前記した双眼視による快適さにより、目的によっては、むしろ優れている。
【０００６】
【発明が解決しようとする課題】
しかしなから、観測姿勢上の問題により、一般に市販されている普通の双眼鏡を天体観測に使用することは困難が伴っていた。
即ち、最も大気が澄み、星の美しい天頂付近の星空を一般に市販されている双眼鏡を用いて観測するとなると、首を直角近くに折り曲げて、真上を不安定、かつ苦しい姿勢で見ることを強いられ短時間の観測しか事実上できなかった。
よって、長時間観測したい場合は、地面に仰向けに横たわり、手ぶれ状態で天頂を観測することとなる。
従って、今まで普通の双眼鏡で天体を観測する者は、やむをえず、手ぶれを防ぐために、三脚に取り付けた双眼鏡を、地平近くの低空に限って観測するか、天頂の星は沈むのを何時間も待って観測するという有り様であった。
【０００７】
宇宙時代の今日において、初心者である一般の人達が、天体に興味を持つことは多いが、手近にあり簡便で覗きやすく、安価で高性能な普通の双眼鏡は、それを天体に向けた時、その使い勝手の悪さは以上の通りであり、折角科学に興味を持った初心者を遠ざけることとなっていた。
【０００８】
【課題を解決するための手段】
この発明は、以上の如き従来技術の問題点に鑑みて創作されたものであり、一般に市販されている普通の双眼鏡を天体観測に使用することを可能とするアダプターを提供することを目的として創作されたものである。
即ち、この発明は双眼鏡の左右一対の両対物レンズの前面に取り付けられるアダプターにして、このアダプターは両対物レンズの前面に位置すると共にこれらを一枚でカバーする第２平面鏡と、これと任意の角度をなす第１平面鏡を有し、第１平面鏡に入射する光線の光路を第２平面鏡を介して両対物レンズに入射するように転向すべく設定されることを特徴とする。
【０００９】
よって、この発明のアダプターによれば第１平面鏡に入射する光線の光路は第２平面鏡を介して両対物レンズに入射するように転向されるので、この発明のアダプターを通常の双眼鏡に取り付ければ、高所を観測するにあたり観測者はその高度通りに仰ぎ見なくとも、それより低い角度で観測することが可能となり（例えば、第１平面鏡に入射する光線の光路と、両対物レンズに入射する光線の光路のなす角度は９０°とすれば、観測者は水平方向を向いたまま天頂を観測することが可能となる。）、しかも得られる像は２枚の鏡による正立像となる。
【００１０】
【発明の実施の形態】
さて、物体からの光を正立像のまま転向する光学系のひとつに５角（ペンタゴナル）プリズムが存する。
この発明の光学系はこの５角プリズムの光学理論を平面鏡に応用したものであるが、５角プリズムを単眼望遠鏡に応用した公知例は存在する。
例えば、特開昭５６−５５１９によれば、三角プリズムの代わりに、５角プリズム又は一対の平面鏡を内蔵したハウジングを、ケプラー式の単眼望遠鏡の接眼側に取り付け、写真撮影をする際、左右裏返しの像を防ぐ対策を施した「倒立像が見える天頂観測器」が公知である。
【００１１】
又、実開平２−１０７１１８によれば、５角プリズム及び一対の平面鏡を内蔵したハウジングをケプラー式の単眼望遠鏡の接眼側、または対物側に取り付けて、倒立像のまま光路転向を行ない、左右裏返しの像を防ぐ対策を施した付属品が公知である。
【００１２】
ここで、この発明の双眼鏡用天体観測アダプターの実用性とコストについて詳述する。
この場合、そのサイズ、重量、コストより、プリズムを使用することは現実的でなく、平面の表面反射鏡に限られる。
しかしながら、従来より、精密研磨加工を経て製作される基準平面は、精度は十分なものの、そのコスト、重量の点でやはり現実的でない。
即ち、プリズム・基準平面を用いては、双眼鏡本体よりも重く、値段の高いものになり、商業ベースにのせることは不可能である。
【００１３】
ここで、本願発明者は、最近の板ガラスの平面精度の向上の著しい事実に注目した。
即ち、ロール法よりフロート法に板ガラスの製法が進歩したために、薄くても平面精度が高く、コストも低いために、これをそのまま表面反射鏡として使用できるのではないかと想到するに至ったのである。
そして、普通の双眼鏡の倍率は、７〜１０倍の低倍率であり、大型のものでも１５倍ほどであることより、実用できるものと判断した。
実際は、板ガラスの平面精度にもランクがあり、良い物が選別され、コピー機の反射板等にすでに使用され、コストも低い事実が判明した。
又、２枚の平面鏡の組合せであるため、ハウジングの精度が像に影響しないため、鏡の受け方を均等に取り付ける配慮をすれば、著しく簡略なものでよい。
又、ズーム式等の高倍率に対応するには、前記の板ガラスから精密平面研磨加工を施すことにより、基準平面よりはるかに低いコストで製作でき、十分商業ベースにのせうる。
試作の結果は、像質も実用の範囲内であり、観測姿勢の快適さは特筆すべきもので、集中力が増すことにより著しい観測精度の向上が認められた。
【００１４】
前述の通り、この発明は、光学系はすでに公知であるものの、その応用において基本的な発想の差を有し、かつその用途において多大な効果を期待できるものである。
即ち、この発明のアダプターは双眼鏡の左右一対の両対物レンズの前面に、これらの視野を一枚でカバーする第２平面鏡と、これと任意の角度をなす第１平面鏡を配し、５角プリズムの光学理論に従い、正立像のまま光路の転向を行ない、普通の双眼鏡の長所を損なうことなく、対空用として快適に使用できるようにしたものである。
【００１５】
【実施例】
図１はこの発明の第１実施例を示す図である。
図中符号１はこの発明のアダプターであり、この実施例においては、小型のもので、カメラ三脚に双眼鏡と同時に取り付けることができ、アダプターを取りはずすことで双眼鏡を簡単に地上用としても使用できるものを想定している。
このアダプター１は双眼鏡５０の前面に取り付けて使用に供されるものであり、ここではアダプター１の後方より取り付けステー１３を延長し、双眼鏡５０の底面の三脚取り付け用のネジ孔を利用してこの取り付けステー１３を双眼鏡にネジ止めする構成としている。
ちなみに、図１においては、双眼鏡５０をカメラ三脚６０の雲台６１に固定ネジ６２により固定する際に、雲台６１と双眼鏡５０の間に取り付けステー１３を挟持する例を示している。
【００１６】
上記のアダプター１は、任意の角度をもって向き合う第１平面鏡１１及び第２平面鏡１２をハウジング１Ａ内に固定した構成よりなり、第２平面鏡１２はアダプター１を双眼鏡５０の前面に取り付けた場合に、両対物レンズ５１、５１の前面に位置すると共にこれらを一枚でカバーする構成とされる。
以上の第１平面鏡１１及び第２平面鏡１２は、第１平面鏡１１に入射する光線の光路を第２平面鏡１２を介して双眼鏡５０の両対物レンズ５１、５１に入射するように転向すべく設定される。
【００１７】
いうまでもなく、上記の場合において、両対物レンズ５１、５１を結ぶ面と第１平面鏡１１がなす角度Ａ、及び第１平面鏡１１と第２平面鏡１２がなす角度Ｂの設定には種々のバリエーションが想定し得る。一方、高所を観測するにあたり観測者はその高度通りに仰ぎ見なくとも、それより低い角度で観測することが可能となるというこの発明のアダプターの本質からすれば、第１平面鏡１１に入射する光線の光路と、両対物レンズ５１、５１に入射する光線の光路のなす角度Ｃには自ずから使い勝手上の下限、上限があり、ここでは４５°から１５０°の範囲内を想定している。
【００１８】
図２乃至図４はこの発明のアダプターの光学系における、以上の角度Ａ、Ｂ、Ｃの設定の実例▲１▼、▲２▼、▲３▼を示す図である。
（実例▲１▼）
図２は角度Ａを１１２．５°、同じくＢを４５°に設定した実例▲１▼を示すものであり、その結果第１平面鏡１１に入射する光線の光路と、両対物レンズ５１、５１に入射する光線の光路のなす角度Ｃは９０°となる。
この例の場合においては、天頂を観測する際、観測者の視線は水平を向くこととなる。
観測姿勢は楽だが、構造がやや複雑となり後記する実例▲３▼に比べると小型化が難しい。
【００１９】
（実例▲２▼）
図３は角度Ａを１１２．５°、同じくＢを２２．５°に設定した実例▲２▼を示すものであり、その結果第１平面鏡１１に入射する光線の光路と、両対物レンズ５１、５１に入射する光線の光路のなす角度Ｃは１３５°となる。
この例の場合においては、天頂を観測する際、観測者の視線は上方４５度を向くこととなる。
観測姿勢は地上から天頂まで汎用性があるが、天頂の観測はやや苦しい。
構造が複雑となり後記する実例▲３▼に比べるとやはり小型化が難しい。
【００２０】
（実例▲３▼）
図４は角度Ａを９０°、同じくＢを６０°に設定した実例▲３▼を示すものであり、その結果第１平面鏡１１に入射する光線の光路と、両対物レンズ５１、５１に入射する光線の光路のなす角度Ｃは６０°となる。
この例の場合においては、天頂を観測する際、観測者の視線は下方３０度を向くこととなり、観測姿勢は最も自然で楽である。
構造も単純で、２枚の平面鏡を開閉できるようにすれば、小型化、ホコリ除け、かつワンタッチで地上用への変換が可能である。
但し、低空を観測する場合には、バランスが悪い。
この実施例における光学系はこの実例▲３▼を採用している。
【００２１】
図５はこの発明のアダプターの、光学系にやはり上記の実例▲３▼を採用した第２実施例を示す図である。
図中符号２はこの発明のアダプターであり、この実施例においては、大型の双眼鏡を経緯回転台に乗せ、バランスを取って使用するものを想定している。
このアダプター２は適宜固定台に対し軸７０によりＸ方向に回転自在に設けられる台座７１上に、軸２４によりＹ方向に揺動自在に設けられるものであり、アダプター２の後方より取り付けステー２３を延長し、この取り付けステー２３上に双眼鏡５０を載置してネジ止めする構成としている。
【００２２】
上記のアダプター２は、任意の角度をもって向き合う第１平面鏡２１及び第２平面鏡２２をハウジング２Ａ内に固定した構成よりなり、第２平面鏡１２はアダプター２を双眼鏡５０の前面に取り付けた場合に、両対物レンズ５１、５１の前面に位置すると共にこれらを一枚でカバーする構成とされる。
以上の第１平面鏡２１及び第２平面鏡２２は、第１平面鏡２１に入射する光線の光路を第２平面鏡２２を介して双眼鏡５０の両対物レンズ５１、５１に入射するように転向すべく設定されるが、第２平面鏡２２をハウジング２Ａに対して開閉自在に設けることにより、ワンタッチで対空・地上と切り換えることを可能としている。
即ち、第２平面鏡２２を開いた状態（図５の状態）においては、光路が転向されて対空用となり、同じく閉じた状態においては光路は転向されず地上用となる。
【００２３】
【発明の効果】
以上の構成よりなるこの発明は、すでに詳述した作用により、次の特有の効果を奏する。
▲１▼従来、普通の双眼鏡を使用して、天頂付近の天体観測をする際、つらい姿勢で手ぶれ状態で使用していたのを、楽な姿勢かつ安定した状態での長時間観測を可能とした。
▲２▼市販されている、ほとんどの普通の双眼鏡が天体観測用の対空双眼鏡に低コストで使用可能となる。
▲３▼すでに購入した普通の双眼鏡が対空用になるため、新しく高価な対空双眼鏡を購入する必要がない。
▲４▼大量生産されている高品質、多機能なコストパフォーマンスの高い普通の双眼鏡を即、天体観測用として使用できる。
▲５▼簡単な操作で対空・地上の併用が可能である。
【図面の簡単な説明】
【図１】この発明のアダプターの第１実施例の使用状態を示す斜視図。
【図２】この発明のアダプターの光学系の実例を示す側面図。
【図３】この発明のアダプターの光学系の実例を示す側面図。
【図４】この発明のアダプターの光学系の実例を示す側面図。
【図５】この発明のアダプターの第２実施例の使用状態を示す斜視図。
【符号の説明】
１      アダプター
１１    第１平面鏡
１２    第２平面鏡
５０    双眼鏡
５１    対物レンズ
【図１】
0003741480.tif 000002
【図２】
0003741480.tif 000003
【図３】
0003741480.tif 000004
【図４】
0003741480.tif 000005
【図５】
0003741480.tif 000006